(57)【要約】【課題】配布元から配布先への配布を支援する配布支援システムに係り、配布先の氏名と住所などの所在情報の管理を配布先所在管理サーバに委ね、配布元における個人情報管理を不要とするとともに、発送作業の削減に資することを課題とする。【解決手段】配布元で所有する配布先リストを、配布先所在管理サーバ１に登録する。配布元では、配布元ＩＤと配布先ＩＤをバーコードに変換し、配達先の欄に印字する。配布経路内端末４では、バーコードから読み取った配布元ＩＤと配布先ＩＤを送信し、配布先所在管理サーバから配布先の所在情報を取得して、配達先欄に印字する。【選択図】図１
2010137948.tif 000002
【特許請求の範囲】
【請求項１】
配布元端末と接続可能な配布先所在管理サーバと、当該配布先所在管理サーバと接続可能な配送経路内端末からなる配布支援システムであって
前記配布先所在管理サーバは、
（１）配布先ＩＤに配布先の氏名と住所を対応付ける配布先リストを記憶するための配布先リスト記憶部と、
（２）前記配布元端末から配布先リストを受信し、受信した配布先リストを配布先リスト記憶部に記憶させる配布先リスト登録部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（３）前記配達先所在照会要求を受信し、前記配達先所在照会要求に含まれる配達先指定コードに含まれる配布先ＩＤを、配布先リストから検索し、当該配布先ＩＤに対応する氏名と住所を配達先の氏名と住所として返信する配達先所在回答部を有することを特徴とする配布支援システム。
【請求項２】
配布先所在管理サーバは、配布先端末と接続可能であって、
前記配布先リストは、更に配布先ＩＤに承認フラグを対応付け、
配布先所在管理サーバは、更に、
（４）配布先端末から配布先の氏名と住所を配布先リストへの登録することについての承認の可否を受信し、承認可である場合に、前記配布先リストの当該配布先のＩＤに対応する承認フラグを未承認から承認済に更新する承認登録部を有し、
前記配達先所在回答部は、前記配布先リストの前記配布先ＩＤに対応する承認フラグが承認済である場合に、前記配達先の氏名と住所を返信することを特徴とする請求項１記載の配布支援システム。
【請求項３】
配布先所在管理サーバは、配布先端末と接続可能であって、
前記配布先リストは、更に配布先ＩＤに認証コードを対応付け、
配布先所在管理サーバは、更に、
（５）配布先端末から配布先の氏名と住所の利用を認証する認証コードを受信し、前記配布先リストの当該配布先のＩＤに対応付けて認証コードを記憶させる認証コード受付部を有し、
前記配送経路内端末は、
（ニ）配送物の表書から認証コード記録体を読み取り、認証コードを特定する認証コード記録体読取部を有し、
前記配達先所在照会部は、更に認証コードを含む前記配達先所在照会要求を送信し、前記配達先の氏名と住所又は認証エラーを受信し、
前記配達先所在回答部は、前記配達先所在照会要求に含まれる認証コードと、前記配布先リストの前記配布先ＩＤに対応する認証コードと一致しない場合に、認証エラーを返信し、
前記配達先所在印字部は、認証エラーを受信した場合に、配布先の氏名と住所を印字しないことを特徴とする請求項１に記載の配布支援システム。
【請求項４】
配布元端末と配布先端末と接続可能な配布先所在管理サーバと、当該配布先所在管理サーバと接続可能な配送経路内端末からなる配布支援システムであって
前記配布先所在管理サーバは、
（１）配布先ＩＤに配布先の氏名と住所を対応付ける配布先リストを記憶する配布先リスト記憶部と、
（２）配布先ＩＤと要求分野ＩＤを対応付けて記憶するための要求分野記憶部と、
（３）前記配布先端末から要求分野ＩＤを受信し、受信した要求分野ＩＤを当該配布先のＩＤと対応付けて要求分野記憶部に記憶させる要求分野登録部と、
（４）前記配布元端末から提供分野ＩＤを受信する提供分野指定部と、
（５）要求分野記憶部から、提供分野ＩＤと一致する要求分野ＩＤに対応する配布先ＩＤを取得し、取得した配布先ＩＤを前記配布元端末に返信する適応配布先回答部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（６）前記配達先所在照会要求を受信し、前記配達先所在照会要求に含まれる配達先指定コードに含まれる配布先ＩＤを、配布先リストから検索し、当該配布先ＩＤに対応する氏名と住所を配達先の氏名と住所として返信する配達先所在回答部を有することを特徴とする配布支援システム。
【請求項５】
配布元端末と配布先端末と接続可能な配布先所在管理サーバと、当該配布先所在管理サーバと接続可能な配送経路内端末からなる配布支援システムであって
前記配布先所在管理サーバは、
（１）配布先ＩＤに配布先の氏名と住所を対応付ける配布先リストを記憶する配布先リスト記憶部と、
（２）配布元ＩＤと提供分野ＩＤを対応付けて記憶するための提供分野記憶部と、
（３）前記配布元端末から提供分野ＩＤを受信し、受信した提供分野ＩＤを当該配布元のＩＤと対応付けて提供分野記憶部に記憶させる提供分野登録部と、
（４）前記配布先端末から要求分野ＩＤを受信する要求分野指定部と、
（５）提供分野記憶部から、要求分野ＩＤと一致する提供分野ＩＤに対応する配布元ＩＤを取得し、取得した配布元ＩＤにより特定される前記配布元端末に、前記配布先端末を特定する配布先ＩＤを送信する適応配布先通知部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（６）前記配達先所在照会要求を受信し、前記配達先所在照会要求に含まれる配達先指定コードに含まれる配布先ＩＤを、配布先リストから検索し、当該配布先ＩＤに対応する氏名と住所を配達先の氏名と住所として返信する配達先所在回答部を有することを特徴とする配布支援システム。
【請求項６】
配布先リストは、更に配布先ＩＤに配布先の免許証番号と作成更新日付を対応付け、
配布先所在管理サーバは、更に、
配布先リスト記憶部に記憶されている既登録の配布先リストに含まれる氏名と免許証番号と、配布先リスト記憶部に記憶される新規の配布先リストに含まれる氏名と免許証番号が一致する場合に、対応する作成更新日付を比較し、新しい作成更新日付に対応する住所を、古い作成更新日付に対応する住所にコピーする配布先リスト更新部を有することを特徴とする請求項１から５のいずれかに記載の配布支援システム。
【請求項７】
配布元端末と配布先端末と接続可能な配布先所在管理サーバと、当該配布先所在管理サーバと接続可能な配送経路内端末からなる配布支援システムであって
前記配布先所在管理サーバは、
（１）製造業者ＩＤと製品ＩＤと製造番号を含む配布先ＩＤに、配布先の氏名と住所を対応付けて記憶するための配布先管理テーブルと、
（２）前記配布先端末から、製造業者ＩＤと製品ＩＤと製造番号を受信する所有製品受付部と、
（３）前記配布先端末から、当該配布先の氏名と住所を受信する当該配布先所在受付部と、
（４）受信した製造業者ＩＤと製品ＩＤと製造番号を含む配布先ＩＤに対応付けて、受信した配布先の氏名と住所を配布先管理テーブルに記憶させる配布先登録部と、
（５）前記配布元端末に、受信した製造業者ＩＤと製品ＩＤと製造番号を含む配布先ＩＤを通知する配布先通知部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（６）前記配達先所在照会要求を受信し、前記配達先所在照会要求に含まれる配達先指定コードに含まれる配布先ＩＤを、配布先管理テーブルから検索し、当該配布先ＩＤに対応する氏名と住所を配達先の氏名と住所として返信する配達先所在回答部を有することを特徴とする配布支援システム。
【請求項８】
配布元端末と配布先端末と接続可能な配布先所在管理サーバと、当該配布先所在管理サーバと接続可能な配送経路内端末からなる配布支援システムであって
前記配布先所在管理サーバは、
（１）製品ＩＤと製造番号を含む配布先ＩＤに、配布先の氏名と住所を対応付けて記憶するための配布先管理テーブルと、
（２）前記配布先端末から、製品ＩＤと製造番号を受信する所有製品受付部と、
（３）前記配布先端末から、当該配布先の氏名と住所を受信する当該配布先所在受付部と、
（４）受信した製品ＩＤと製造番号を含む配布先ＩＤに対応付けて、受信した配布先の氏名と住所を配布先管理テーブルに記憶させる配布先登録部と、
（５）前記配布元端末から、配布先抽出条件として製品ＩＤと製造番号範囲を受信する配布先抽出条件受付部
（６）配布先管理テーブルから、配布先抽出条件の製品ＩＤと一致する製品ＩＤと、配布先抽出条件の製造番号範囲に含まれる製造番号を含む配布先ＩＤを検索する配布先抽出部
（７）検索した配布先ＩＤを前記配布元端末に返信する抽出配布先回答部
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（８）前記配達先所在照会要求を受信し、前記配達先所在照会要求に含まれる配達先指定コードに含まれる配布先ＩＤを、配布先管理テーブルから検索し、当該配布先ＩＤに対応する氏名と住所を配達先の氏名と住所として返信する配達先所在回答部を有することを特徴とする配布支援システム。
【請求項９】
配布元端末と配布先端末と接続可能な配布先所在管理サーバと、当該配布先所在管理サーバと接続可能な配送経路内端末からなる配布支援システムであって
前記配布先所在管理サーバは、
（１）書籍識別番号と登録番号を含む配布先ＩＤに、配布先の氏名と住所を対応付けて記憶するための配布先管理テーブルと、
（２）前記配布先端末から、書籍識別番号を受信する所有書籍受付部と、
（３）前記配布先端末から、当該配布先の氏名と住所を受信する当該配布先所在受付部と、
（４）受信した書籍識別番号の各登録を連番で識別する登録番号を生成し、受信した書籍識別番号と生成した登録番号を含む配布先ＩＤに対応付けて、受信した配布先の氏名と住所を配布先管理テーブルに記憶させる配布先登録部と、
（５）前記配布元端末から、登録数算出条件として書籍識別番号を受信する登録数算出条件受付部
（６）配布先管理テーブルから、登録数算出条件の書籍識別番号と一致する書籍識別番号の登録数を算出する登録数算出部
（７）算出した登録数を前記配布元端末に返信する登録数回答部
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（８）前記配達先所在照会要求を受信し、前記配達先所在照会要求に含まれる配達先指定コードに含まれる配布先ＩＤを、配布先管理テーブルから検索し、当該配布先ＩＤに対応する氏名と住所を配達先の氏名と住所として返信する配達先所在回答部を有することを特徴とする配布支援システム。
【請求項１０】
配布先管理テーブルは、更に配布先ＩＤに配布先の免許証番号と作成更新日付を対応付け、
配布先所在管理サーバは、更に、
配布先管理テーブルに記憶されている既登録の配布先の氏名と免許証番号と、配布先管理テーブルに記憶される新規の配布先の氏名と免許証番号が一致する場合に、対応する作成更新日付を比較し、新しい作成更新日付に対応する住所を、古い作成更新日付に対応する住所にコピーする配布先管理テーブル更新部を有することを特徴とする請求項７から９のいずれかに記載の配布支援システム。
【発明の詳細な説明】
【技術分野】
【０００１】
本発明は、配布元から配布先への配布を支援する配布支援システムに係り、配布先の氏名と住所などの所在情報の管理を配布先所在管理サーバに委ね、配布元における個人情報管理を不要とするとともに、発送作業の削減に資する技術に関する。
【背景技術】
【０００２】
配布元から配布先へ配布を行う場合、通常配布先の氏名や住所などの所在情報を配布元で所有する。しかし、所在情報は個人情報として厳格な管理が求められる。
【０００３】
所在情報を第三者に管理を委託する場合には、配布先自身の意に反した利用となる恐れがある。また、成り済まし等の不正利用のリスクもある。
【０００４】
第三者に所在情報を委託する場合に、常に最新となるように所在情報を維持することは難しい。
【０００５】
また、配布物が配布先の要求に適合しない場合には、配布元の期待に反することになる。
【０００６】
ある所有物に関する配布物を提供したい生産者が、その所有物に関する配布物を欲する所有者の所在を知ることは、難しい。
【特許文献１】特開２００６−３２１６４７号公報
【発明の開示】
【発明が解決しようとする課題】
【０００７】
そこで、本発明はこのような問題を解決し、配布物の配布に関する便宜を図り、効率化することを主な目的とする。
【課題を解決するための手段】
【０００８】
本発明に係る配布支援システムは、
配布元端末と接続可能な配布先所在管理サーバと、当該配布先所在管理サーバと接続可能な配送経路内端末からなる配布支援システムであって
前記配布先所在管理サーバは、
（１）配布先ＩＤに配布先の氏名と住所を対応付ける配布先リストを記憶するための配布先リスト記憶部と、
（２）前記配布元端末から配布先リストを受信し、受信した配布先リストを配布先リスト記憶部に記憶させる配布先リスト登録部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（３）前記配達先所在照会要求を受信し、前記配達先所在照会要求に含まれる配達先指定コードに含まれる配布先ＩＤを、配布先リストから検索し、当該配布先ＩＤに対応する氏名と住所を配達先の氏名と住所として返信する配達先所在回答部を有することを特徴とする。
【０００９】
また、
配布先所在管理サーバは、配布先端末と接続可能であって、
前記配布先リストは、更に配布先ＩＤに承認フラグを対応付け、
配布先所在管理サーバは、更に、
（４）配布先端末から配布先の氏名と住所を配布先リストへの登録することについての承認の可否を受信し、承認可である場合に、前記配布先リストの当該配布先のＩＤに対応する承認フラグを未承認から承認済に更新する承認登録部を有し、
前記配達先所在回答部は、前記配布先リストの前記配布先ＩＤに対応する承認フラグが承認済である場合に、前記配達先の氏名と住所を返信することを特徴とする。
【００１０】
また、
配布先所在管理サーバは、配布先端末と接続可能であって、
前記配布先リストは、更に配布先ＩＤに認証コードを対応付け、
配布先所在管理サーバは、更に、
（５）配布先端末から配布先の氏名と住所の利用を認証する認証コードを受信し、前記配布先リストの当該配布先のＩＤに対応付けて認証コードを記憶させる認証コード受付部を有し、
前記配送経路内端末は、
（ニ）配送物の表書から認証コード記録体を読み取り、認証コードを特定する認証コード記録体読取部を有し、
前記配達先所在照会部は、更に認証コードを含む前記配達先所在照会要求を送信し、前記配達先の氏名と住所又は認証エラーを受信し、
前記配達先所在回答部は、前記配達先所在照会要求に含まれる認証コードと、前記配布先リストの前記配布先ＩＤに対応する認証コードと一致しない場合に、認証エラーを返信し、
前記配達先所在印字部は、認証エラーを受信した場合に、配布先の氏名と住所を印字しないことを特徴とする。
【００１１】
本願発明に係る配布支援システムは、
配布元端末と配布先端末と接続可能な配布先所在管理サーバと、当該配布先所在管理サーバと接続可能な配送経路内端末からなる配布支援システムであって
前記配布先所在管理サーバは、
（１）配布先ＩＤに配布先の氏名と住所を対応付ける配布先リストを記憶する配布先リスト記憶部と、
（２）配布先ＩＤと要求分野ＩＤを対応付けて記憶するための要求分野記憶部と、
（３）前記配布先端末から要求分野ＩＤを受信し、受信した要求分野ＩＤを当該配布先のＩＤと対応付けて要求分野記憶部に記憶させる要求分野登録部と、
（４）前記配布元端末から提供分野ＩＤを受信する提供分野指定部と、
（５）要求分野記憶部から、提供分野ＩＤと一致する要求分野ＩＤに対応する配布先ＩＤを取得し、取得した配布先ＩＤを前記配布元端末に返信する適応配布先回答部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（６）前記配達先所在照会要求を受信し、前記配達先所在照会要求に含まれる配達先指定コードに含まれる配布先ＩＤを、配布先リストから検索し、当該配布先ＩＤに対応する氏名と住所を配達先の氏名と住所として返信する配達先所在回答部を有することを特徴とする。
【００１２】
本願発明に係る配布支援システムは、
配布元端末と配布先端末と接続可能な配布先所在管理サーバと、当該配布先所在管理サーバと接続可能な配送経路内端末からなる配布支援システムであって
前記配布先所在管理サーバは、
（１）配布先ＩＤに配布先の氏名と住所を対応付ける配布先リストを記憶する配布先リスト記憶部と、
（２）配布元ＩＤと提供分野ＩＤを対応付けて記憶するための提供分野記憶部と、
（３）前記配布元端末から提供分野ＩＤを受信し、受信した提供分野ＩＤを当該配布元のＩＤと対応付けて提供分野記憶部に記憶させる提供分野登録部と、
（４）前記配布先端末から要求分野ＩＤを受信する要求分野指定部と、
（５）提供分野記憶部から、要求分野ＩＤと一致する提供分野ＩＤに対応する配布元ＩＤを取得し、取得した配布元ＩＤにより特定される前記配布元端末に、前記配布先端末を特定する配布先ＩＤを送信する適応配布先通知部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（６）前記配達先所在照会要求を受信し、前記配達先所在照会要求に含まれる配達先指定コードに含まれる配布先ＩＤを、配布先リストから検索し、当該配布先ＩＤに対応する氏名と住所を配達先の氏名と住所として返信する配達先所在回答部を有することを特徴とする。
【００１３】
また、
配布先リストは、更に配布先ＩＤに配布先の免許証番号と作成更新日付を対応付け、
配布先所在管理サーバは、更に、
配布先リスト記憶部に記憶されている既登録の配布先リストに含まれる氏名と免許証番号と、配布先リスト記憶部に記憶される新規の配布先リストに含まれる氏名と免許証番号が一致する場合に、対応する作成更新日付を比較し、新しい作成更新日付に対応する住所を、古い作成更新日付に対応する住所にコピーする配布先リスト更新部を有することを特徴とする請求項１から５のいずれかに記載の配布支援システム。
【００１４】
本願発明に係る配布支援システムは、
配布元端末と配布先端末と接続可能な配布先所在管理サーバと、当該配布先所在管理サーバと接続可能な配送経路内端末からなる配布支援システムであって
前記配布先所在管理サーバは、
（１）製造業者ＩＤと製品ＩＤと製造番号を含む配布先ＩＤに、配布先の氏名と住所を対応付けて記憶するための配布先管理テーブルと、
（２）前記配布先端末から、製造業者ＩＤと製品ＩＤと製造番号を受信する所有製品受付部と、
（３）前記配布先端末から、当該配布先の氏名と住所を受信する当該配布先所在受付部と、
（４）受信した製造業者ＩＤと製品ＩＤと製造番号を含む配布先ＩＤに対応付けて、受信した配布先の氏名と住所を配布先管理テーブルに記憶させる配布先登録部と、
（５）前記配布元端末に、受信した製造業者ＩＤと製品ＩＤと製造番号を含む配布先ＩＤを通知する配布先通知部を有し、
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（６）前記配達先所在照会要求を受信し、前記配達先所在照会要求に含まれる配達先指定コードに含まれる配布先ＩＤを、配布先管理テーブルから検索し、当該配布先ＩＤに対応する氏名と住所を配達先の氏名と住所として返信する配達先所在回答部を有することを特徴とする。
【００１５】
本願発明に係る配布支援システムは、
配布元端末と配布先端末と接続可能な配布先所在管理サーバと、当該配布先所在管理サーバと接続可能な配送経路内端末からなる配布支援システムであって
前記配布先所在管理サーバは、
（１）製品ＩＤと製造番号を含む配布先ＩＤに、配布先の氏名と住所を対応付けて記憶するための配布先管理テーブルと、
（２）前記配布先端末から、製品ＩＤと製造番号を受信する所有製品受付部と、
（３）前記配布先端末から、当該配布先の氏名と住所を受信する当該配布先所在受付部と、
（４）受信した製品ＩＤと製造番号を含む配布先ＩＤに対応付けて、受信した配布先の氏名と住所を配布先管理テーブルに記憶させる配布先登録部と、
（５）前記配布元端末から、配布先抽出条件として製品ＩＤと製造番号範囲を受信する配布先抽出条件受付部
（６）配布先管理テーブルから、配布先抽出条件の製品ＩＤと一致する製品ＩＤと、配布先抽出条件の製造番号範囲に含まれる製造番号を含む配布先ＩＤを検索する配布先抽出部
（７）検索した配布先ＩＤを前記配布元端末に返信する抽出配布先回答部
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（８）前記配達先所在照会要求を受信し、前記配達先所在照会要求に含まれる配達先指定コードに含まれる配布先ＩＤを、配布先管理テーブルから検索し、当該配布先ＩＤに対応する氏名と住所を配達先の氏名と住所として返信する配達先所在回答部を有することを特徴とする。
【００１６】
本願発明に係る配布支援システムは、
配布元端末と配布先端末と接続可能な配布先所在管理サーバと、当該配布先所在管理サーバと接続可能な配送経路内端末からなる配布支援システムであって
前記配布先所在管理サーバは、
（１）書籍識別番号と登録番号を含む配布先ＩＤに、配布先の氏名と住所を対応付けて記憶するための配布先管理テーブルと、
（２）前記配布先端末から、書籍識別番号を受信する所有書籍受付部と、
（３）前記配布先端末から、当該配布先の氏名と住所を受信する当該配布先所在受付部と、
（４）受信した書籍識別番号の各登録を連番で識別する登録番号を生成し、受信した書籍識別番号と生成した登録番号を含む配布先ＩＤに対応付けて、受信した配布先の氏名と住所を配布先管理テーブルに記憶させる配布先登録部と、
（５）前記配布元端末から、登録数算出条件として書籍識別番号を受信する登録数算出条件受付部
（６）配布先管理テーブルから、登録数算出条件の書籍識別番号と一致する書籍識別番号の登録数を算出する登録数算出部
（７）算出した登録数を前記配布元端末に返信する登録数回答部
前記配送経路内端末は、
（イ）配送物の表書から配達先指定コード記録体を読み取り、配布先ＩＤを含む配達先指定コードを特定する配達先指定コード記録体読取部と、
（ロ）配達先指定コードを含む配達先所在照会要求を前記配布先所在管理サーバに送信し、配達先の氏名と住所を受信する配達先所在照会部と、
（ハ）受信した氏名と住所を配達物の表書に表示するために印字する配達先所在印字部を有し、
前記配布先所在管理サーバは、更に、
（８）前記配達先所在照会要求を受信し、前記配達先所在照会要求に含まれる配達先指定コードに含まれる配布先ＩＤを、配布先管理テーブルから検索し、当該配布先ＩＤに対応する氏名と住所を配達先の氏名と住所として返信する配達先所在回答部を有することを特徴とする。
【００１７】
また、
配布先管理テーブルは、更に配布先ＩＤに配布先の免許証番号と作成更新日付を対応付け、
配布先所在管理サーバは、更に、
配布先管理テーブルに記憶されている既登録の配布先の氏名と免許証番号と、配布先管理テーブルに記憶される新規の配布先の氏名と免許証番号が一致する場合に、対応する作成更新日付を比較し、新しい作成更新日付に対応する住所を、古い作成更新日付に対応する住所にコピーする配布先管理テーブル更新部を有することを特徴とする。
【発明の効果】
【００１８】
本発明によれば、配布先リストの管理を配布先所在管理サーバに委ね、配布元では配送先ＩＤで配送先を管理するので、個人情報である所在情報の管理が不要になる。また、配布元における発送の際の送り状記載作業が軽減される。
【００１９】
また、配布先により承認されない場合には所在情報の使用を禁止するので、個人情報の不正使用を阻止できる。
【００２０】
また、認証コードによる認証を行うので、成り済ましによる不正な発送を防ぐことができる。
【００２１】
複数の配布先リストで同一人を想定される所在情報同士に関して、古い情報を新しい情報に更新するので、最新の所在情報を維持できる。
【００２２】
配布先が要求する分野に対応する配布物を提供する配布元に、その配布先を紹介するので、配布効率が向上する。
【００２３】
また、配布元で提供する配布物の分野を要求する配布先を、配布元に仲介するので、配布効率が良くなる。
【００２４】
配布先である製品所有者が所在情報を登録すると、配布元となる製品製造業者にその配布先を通知するので、製品に関連する配布効率が向上する。
【００２５】
配布先である製品所有者の所在情報を管理し、配布元となる製品製造業者の要求に応じて配布先を抽出するので、製品に関連する配布効率が向上する。
【００２６】
配布先である書籍所有者の所在情報を管理し、配布元となる書籍出版業者の要求に応じて配布先を抽出するので、書籍に関連する配布効率が向上する。
【発明を実施するための最良の形態】
【００２７】
実施の形態１．
図１は、実施の形態１の概要を示す図である。本願発明に係る配布支援システムは、配布元から配布先に配送業者を介して配布物を配布する行為を支援する。配布物の例として、葉書や封書等の郵便物や小包などが考えられる。また、配送業者の例として、郵便業者や運送業者などが考えられる。
【００２８】
配布元端末３は、配布物を発送する配布元が用いる端末であり、配送経路内端末４は、郵便業者や運送業者などの配送業者の経路内で用いられる端末である。例えば、代理店、営業所、配送センターなどの配送施設内に設けられる。郵便業者による配送の場合に、配送物は郵便物であり、運送業者による配送の場合には、配送物は貨物、荷物、小包等である。
【００２９】
配布は、多様な形態で行われる。例えば、商品売買に本発明を応用する場合には、商品が配布物となり、販売者が配布元となり、購入者が配布先となる。試供品の提供に応用する場合には、試供品が配布物となり、提供者が配布元となり、試用者が配布先となる。会報、雑誌、或いは書籍等（発行物）に応用する場合には、発行物が配布物となり、発行者が配布元となり、読者が配布先となる。
【００３０】
配布先所在管理サーバ１は、配布先の氏名や住所などの所在に関する情報を管理するサーバである。配布先所在管理サーバ１と配布元端末３は、ネットワーク（例えば、インターネットや専用回線）を介して接続されている。そして、配布元端末３は、ブラウザを有している。また、配布先所在管理サーバ１と配送経路内端末４もネットワーク（例えば、インターネットや専用回線）を介して接続されている。配布先所在管理サーバ１は、ネットワーク通信を制御するネットワーク通信制御部を有し、配布元端末３は、ネットワーク通信制御部の他、表示装置、操作装置、印字装置等を有している。配送経路内端末４は、ネットワーク通信制御部の他、表示装置、操作装置、バーコード読取装置、印字装置等を有している。印字装置（プリンタ）は、通常の文字情報を印刷する他、バーコードを印刷するバーコード書込装置として用いられる。尚、バーコードは、コード記録体の例であり、バーコード読取装置は、コード記録体読取装置の例であり、バーコード書込装置は、コード記録体書込装置の例である。
【００３１】
本実施の形態における処理の概要を説明する。
（１）配布元端末３から配布先所在管理サーバ１への配布先リストの登録
配布元端末３は、配布先所在管理サーバ１にアクセスしてログインし（１−１〜１−３）、配布先リストを登録する（１−４）。配布先リストは、配布先を識別する配布先ＩＤに対応付けて氏名や住所などの所在情報を記憶するように構成されている。
（２）配布元端末３による配達先指定バーコードの印字
配布元端末３は、配布元ＩＤと配布先ＩＤをバーコードに変換して、配布物の送り状の配達先の欄に印刷する（１−５）。そして、送り状を付した配送物を配送業者に引き渡し、発送する。
（３）配送経路内端末４による配達先特定と配布先所在管理サーバ１による配達先所在の回答
配送業者は、配送経路内端末４で配送物の表書きのバーコードから配布元ＩＤと配送先ＩＤを読み取り、配布元ＩＤと配布先ＩＤを配布先所在管理サーバ１に送信し、配達先となる所在（氏名、住所等）を問い合わせる。これに対して、配布先所在管理サーバ１は、配布先ＩＤに対応する配布先の所在を検索し、配送経路内端末４に返信する。配送経路内端末４は、受信した配達先の所在を送り状の配達先に印字する。これにより、配布先に配布物が送り届けられる。
【００３２】
配布先リストは、配布先毎にレコードを設け、配布先ＩＤに対応付けて、配布先の氏名と郵便番号と住所と電話番号と電子メールアドレスの項目を記憶するように構成されている。そして、これを受信した配布先所在管理サーバ１は、発信した配布元を識別する配布元ＩＤに対応付けて配布先リスト記憶部に記憶するように構成されている。
【００３３】
図２は、実施の形態１に係る配布先リスト記憶部の例を示す図である。図に示す通り、受信した配布先リストに、配布元ＩＤの項目からなるヘッダを付加して記憶するように構成されている。複数の配布元から配布先リストを受信した場合には、各配布元からの配布先リストを記憶するように構成されている。
【００３４】
＜（１）配布元端末３から配布先所在管理サーバ１への配布先リストの登録＞
図３は、配布先リストの登録に係る配布先所在管理サーバの構成を示す図である。配布先所在管理サーバ１は、配布元端末３からのログインを認証する配布元ログイン認証部１１０、配布元毎にレコードを設け、配布元ＩＤと認証に用いるパスワードの項目を対応付けて記憶している配布元管理テーブル１１１、配布元端末３から配布先リストを受け付けて登録する配布先リスト登録部１１２、配布元ＩＤに対応付けて配布先リストを記憶する配布先リスト記憶部１１３、及び配布元端末３のログアウトを処理する配布元ログアウト部１１４を有している。
【００３５】
図４は、配布先所在管理サーバによる配布先リストの登録に係る処理フローを示す図である。配布元ログイン認証部１１０による配布元ログイン認証処理（Ｓ４０１）では、配布元端末３からのアクセス要求を受信すると、ログイン画面を送信する。ログイン画面は、配布元端末３のブラウザに表示され、操作者に配布元ＩＤとパスワードの入力を促し、入力された配布元ＩＤとパスワードを配布元端末３から配布先所在管理サーバ１に返信するように構成されている。この画面を介して配布元ログイン認証部１１０は、配布元端末３から配布元ＩＤとパスワードを受信する。そして、配布元管理テーブル１１１を検索し、受信した配布元ＩＤとパスワードの組み合せと同じ組み合せが存在する場合に、ログイン成功と判断し、以降の処理の続行を許可する。他方同じ組み合せが存在しない場合には、ログイン失敗と判断し、以降の処理の続行を拒否する。
【００３６】
配布先リスト登録部１１２による配布先リスト登録処理（Ｓ４０２）では、配布先リストの入力を促す配布先リスト登録画面を配布元端末３に送信し、配布元端末３から配布先リストを受信する。配布先リストをファイルとして受け付ける場合には、配布先リスト登録画面に入力されたファイル名で特定される配布先リストファイルを配布元端末３から配布先所在管理サーバ１へ転送させる。配布先リスト登録画面で配布先毎に配布先ＩＤ、氏名、郵便番号、住所、電話番号、及び電子メールアドレスを直接入力させる場合は、入力されたこれらの情報を配布先リストとして配布先所在管理サーバ１に送信させる。そして、受信した配布先リストを配布元ＩＤと対応付けて配布先リスト記憶部１１３に記憶させる。
【００３７】
配布元ログアウト部１１４による配布元ログアウト処理（Ｓ４０３）では、ログアウトの指示を促すログアウト画面を配布元端末３に送信し、その指示に従って配布元端末３からログアウト要求を受信し、ログアウト処理する。以降ログイン中のみ許可される処理は、実行不能となる。
【００３８】
＜（２）配布元端末３による配達先指定バーコードの印字＞
図５は、配達先指定バーコードの印字に係る配布元端末の構成を示す図である。配布元端末３は、配布物の配布先を識別する配布先ＩＤを受け付ける配布先ＩＤ受付部３１０、当該配布元端末３を特定する配布元ＩＤを記憶している配布元ＩＤ記憶部３１１、配布元ＩＤと配布先ＩＤからなる配達先指定コードをバーコードに変換して送り状の配達先欄に印字する配達先指定バーコード印字部３１２を有している。尚、配達先指定バーコード印字部３１２は、送り状の配達先欄に直接印字する代わりに、配達先欄に貼付するためのラベルに印字するように構成することもできる。
【００３９】
配布先ＩＤ受付部３１０による配布先ＩＤ受付処理では、配布先ＩＤを受け付ける。例えば、配布元端末３の操作部から直接配布先ＩＤのコードを入力する方法や、配布元端末３の他モジュールから配布先ＩＤを受け付ける方法などが考えられる。配達先指定バーコード印字部３１２による配達先指定バーコード印字処理では、配布元ＩＤ記憶部３１１から当該配布元端末３を特定する配布元ＩＤを読み出し、配布先ＩＤ受付部３１０で受け付けた配布先ＩＤと合わせて、配達先指定コードを生成する。配達先指定コードは、少なくとも配布元ＩＤと配布先ＩＤを含んでいる。そして、配達先指定コードをバーコード変換した配達先指定バーコードを、送り状の配達先欄や配送物の表面の配送先欄（例えば、葉書や封書の表書き）へ印字する。あるいは、送り状の配送先欄または配送物の表面の配達先欄に貼付するためのラベルに印字する。その場合、印字されたラベルは配達先欄に貼付される。
【００４０】
更に配布元の氏名住所を送り状の発送元の欄に記入し、送り状を配送物に貼り付けて配送業者に引き渡し、発送する。あるいは配布元の氏名住所を配送物の発送元の欄に印字して投函し、発送する。
【００４１】
＜（３）配送経路内端末４による配達先特定と配布先所在管理サーバ１による配達先所在の回答＞
図６は、配達先特定に係る配送経路内端末の構成を示す図である。配送経路内端末４は、配送物の送り状や表面の配達先欄から配達先指定バーコードを読み取り、配達先指定コードに変換する配達先指定バーコード読取部４１０、配達先指定コードを含む配達先所在照会要求を配布先所在管理サーバ１に送信して配達先の氏名や住所等の所在情報を取得する配達先所在照会部４１１、及び取得した配達先の所在情報を配送物の送り状の配達先欄や表面の配達先欄に印字する配達先所在印字部４１２を有している。配達先所在印字部４１２は、送り状の配達先欄または配送物の表面の配達先欄に貼付するためのラベルに印字するように構成することもできる。
【００４２】
図７は、配送経路内端末による配達先特定に係る処理フローを示す図である。配達先指定バーコード読取部４１０による配達先指定バーコード読取処理（Ｓ７０１）では、配送物の送り状や表面の配達先欄から配達先指定バーコードを読み取り、配達先指定コードに変換し、配達先所在照会部４１１による配達先所在照会処理（Ｓ７０２）では、配達先指定コードを含む配達先所在照会要求を配布先所在管理サーバ１に送信して、配布先所在管理サーバ１から返信される配達先の氏名や住所等の所在情報を受信する。そして、配達先所在印字部４１２による配達先所在印字処理（Ｓ７０３）で、受信した配達先の所在情報を配送物の送り状や表面に印字する。あるいは、配達先欄に貼付するためのラベルに印字する。そして、ラベルは配達先欄に貼付される。郵便業者による場合には、氏名と住所の他に郵便番号を印字するのが一般的である。また、運送業者による場合には、氏名と住所の他に電話番号を印字するのが一般的である。これにより配送物が配達先に送り届けられる。
【００４３】
配布先所在管理サーバ１側の処理について説明する。図８は、配達先所在の回答に係る配達先所在管理サーバの構成を示す図である。配布先所在管理サーバ１は、更に配達先所在照会要求に対して配達先の氏名や住所等の所在情報を返信する配達先所在回答部１１５を有している。
【００４４】
図９は、配達先所在管理サーバによる配達先所在の回答に係る処理フローを示す図である。配達先所在回答部１１５は、配達先所在照会要求受信待ちの状態で（Ｓ９０１）、配送経路内端末４から配達先所在照会要求を受信すると、配達先指定コードに含まれる配布元ＩＤと配布先ＩＤを特定し、配布先リスト記憶部１１２中で配布元ＩＤに対応する配布先リストを特定する（Ｓ９０２）。そして、その配布先リストから前記特定した配布先ＩＤを検索し、当該配布先ＩＤに対応する氏名、郵便番号、住所、電話番号を読み出し（Ｓ９０３）、配布先ＩＤに対応する氏名、郵便番号、住所、電話番号を配達先の所在情報として配送経路内端末４に返信する（Ｓ９０４）。
【００４５】
本実施の形態の配布支援システムにより、配布元における配布先の所在情報の管理を不要とし、更に発送作業の労力を削減することができる。
【００４６】
実施の形態２．
本実施の形態では、配布先リストに登録される配布先の端末からその登録を承認することにより、配布先の意図に反した所在情報の使用を防止する。
【００４７】
図１０は、実施の形態２の概要を示す図である。配布先端末２は、配布先リストに登録されている配布先が用いる端末である。配布先所在管理サーバ１と配布先端末２は、ネットワーク（例えば、インターネットや専用回線）を介して接続されている。配布先端末２は、ネットワーク通信制御部の他、表示装置、操作装置等を備え、ブラウザを有している。
【００４８】
本実施の形態では、配布先所在管理サーバ１で配布先リストに登録されている配布先に対して、配布先としての登録に関する承認を依頼する承認依頼メールを送信する（２−５）。そして、配布先端末２でそのメールに案内されたＵＲＬにアクセスすることにより、ブラウザを介して配布先登録承認画面を表示し、承認の可否を配布先所在管理サーバ１に対して返信する（２−６〜２−８）。承認可とされた場合には承認された旨を配布元端末３に通知し、実施の形態１の通り、配送が行われる。他方、承認否とされた場合には承認されなかった旨を配布元端末３に通知し、当該配布先の登録情報を削除する。従って、承認否とされた配送先には配送されないこととなる。
【００４９】
図１１は、実施の形態２に係る配送先リスト記憶部の例を示す図である。承認フラグの項目を追加している。配布先リスト記憶部１１２に記憶された初期状態では、未承認となっているが、配布先端末２より承認可を受信した場合には、承認済に更新される。また、承認否を受信した場合には、その配布先に関するレコードは削除される。
【００５０】
以下、処理について詳述する。配布元端末３から配布先所在管理サーバ１への配布先リストの登録（２−１〜２−４）は、実施の形態１と同様である。配布先リストの登録（２−１〜２−４）に続いて、配布先端末２からの配布先登録の承認が行われる（２−５〜２−９）。その為に配布先所在管理サーバ１は、配布先端末２へ承認を促す処理を行なう。図１２は、被承認処理に係る配達先所在管理サーバの構成を示す図である。配布先所在管理サーバ１は、配布先登録承認画面を生成し、承認依頼メールを配布先端末２に送信する承認依頼部１２０、配布先登録承認画面を記憶する配布先登録承認画面記憶部１２１、及び配布先端末２に配布先登録承認画面を提供し、承認結果を受け付けて配布先リスト記憶部１１３を更新する承認受付部１２２を有している。配布元管理テーブル１１１は、配布元ＩＤに対応付けて配布元のメールアドレスを記憶している。
【００５１】
図１３は、配布先所在管理サーバによる被承認処理に係る処理フローを示す図である。承認依頼部１２０による承認依頼処理（Ｓ１３０１）に続いて、承認受付部１２２による承認受付処理（Ｓ１３０２）を行う。
【００５２】
承認依頼部１２０による承認依頼処理（Ｓ１３０１）について詳述する。図１４は、承認依頼処理フローを示す図である。配布先リスト記憶部１１３に新たに登録された配布先リストについて、配布先のレコード毎に以下の処理を繰り返す（Ｓ１４０１）。配布先リスト記憶部１１３から当該配布先の氏名、郵便番号、住所、電話番号を読み取り、画面の所定位置に配置し、更に承認の可否選択を促し、可否選択結果を受け付ける承認結果受付インターフェースを備えた配布先登録承認画面を生成し、その画面を配布先登録承認画面記憶部１２１に記憶させる（Ｓ１４０２）。その際、その画面に配布元ＩＤと配布先ＩＤを対応付けて記憶させる。そして、当該配布先登録承認画面の格納場所を特定するＵＲＬのコードを含む承認依頼メールを生成する（Ｓ１４０３）。このメールは、メール受信者が配布元からの依頼により、配布先所在管理サーバ１に配布物に係る配布先として登録されることを承認するか否かを、配布先登録承認画面を介して問うことを知らせるものである。配布先リスト記憶部１１３から当該配布先のメールアドレスを読み取り、生成した承認依頼メールをそのメールアドレスに送信する（Ｓ１４０４）。すべての配布先に対してこの処理を行なう（Ｓ１４０５）。このようにして、配布先毎に配布先登録承認画面を生成し、その画面へのアクセスを促すメールを配布先に送信する。
【００５３】
承認受付部１２２による承認受付処理（Ｓ１３０２）について詳述する。図１５は、承認受付処理フローを示す図である。配布先端末２より送られる、承認依頼メールに含まれるＵＲＬへのアクセス要求を待つ状態を維持する（Ｓ１５０１）。そして、アクセス要求を受信すると、そのＵＲＬにより特定される配布先登録承認画面を配布先端末２に送信する（Ｓ１５０２）。そして、配布元ＩＤと配布先ＩＤを特定する（Ｓ１５０３）。具体的には、配布先登録承認画面に対応する配布元ＩＤと配布先ＩＤを配布先登録承認画面記憶部１２１より読み取る。あるいはＵＲＬのコード中に、配布元ＩＤと配布先ＩＤのコードを含むように設定し、アクセスを要求されたＵＲＬから配布元ＩＤと配布先ＩＤを特定することもできる。配布先端末２は、ブラウザに受信した配布先登録承認画面を表示し、操作者の操作に従って承認の可否の結果を受け付けて配布先所在管理サーバ１に返信する。配布先端末２からの承認結果の受信を待ち（Ｓ１５０４）、所定時間経過するとタイムアウトによりＳ１５０１に戻る。承認結果を受信した場合には、配布先リストを更新する（Ｓ１５０５）。更新の手順としては、まず配布元ＩＤに対応する配布先リストを配布先リスト登録部１１２から特定し、更にその配布先リスト中から配布先ＩＤに対応するレコードを特定する。そして、承認結果が承認可であれば、承認フラグを「未承認」から「承認済」に改める。他方、承認結果が承認否であれば、そのレコードを削除する。そして、配布先ＩＤと承認結果（「承認可」あるいは「承認否」）を含む承認結果通知メールを生成し、配布元ＩＤに対応するメールアドレスを配布元管理テーブル１１１から読み取り、そのメールアドレスに送信する（Ｓ１５０６）。
【００５４】
配布元端末３による配達先指定バーコードの印字（２−１０）は、実施の形態１と同様である。
【００５５】
配送経路内端末４による配達先特定と配布先所在管理サーバ１による配達先所在の回答（２−１１〜２−１３）について説明する。図１６は、配達先特定に係る配送経路内端末の構成を示す図である。配達先所在照会部４１１で、指定コード無エラー（配達先所在照会要求に含まれる配達先指定コードに対応する配達先が存在しない場合のエラー）を受信した場合には、配達先所在印字部４１２により指定コード無エラーの旨を配送物の送り状や表面の配達先欄に印字する。あるいは、前述同様に配達先欄に貼付するためのラベルに印字する。また、未承認エラー（配布先から承認されていない場合のエラー）を受信した場合には、未承認エラーの旨を同様に配送物の送り状や表面に印字し、あるいは配達先欄に貼付するためのラベルに印字する。
【００５６】
図１７は、配達先所在の回答に係る配達先所在管理サーバの構成を示す図である。図１８は、配達先所在管理サーバによる配達先所在の回答に係る処理フローを示す図である。実施の形態１と同様に、配達先所在回答部１１５で配達先所在照会要求の受信を待ち（Ｓ１８０１）、配布元ＩＤに対応する配布先リストを特定し（Ｓ１８０２）、配布先リストから配布先ＩＤを検索する（Ｓ１８０３）。対応する配布先ＩＤが無い場合には（Ｓ１８０４）、指定コード無エラーを返信する（Ｓ１８０５）。他方、対応する配布先ＩＤが有る場合には、承認フラグを読み取り、判定する。未承認の場合には未承認エラーを返信し（Ｓ１８０７）、承認済の場合に配布先ＩＤに対応する氏名、郵便番号、住所、電話番号を返信する（Ｓ１８０８）。
【００５７】
本実施の形態の配布支援システムにより、未承認の配布先や承認されなかった配布先の利用を防ぐことができる。
【００５８】
実施の形態３．
本実施の形態では、配布先リストに登録される配布先の端末から認証コードを登録し、当該認証コードにより氏名や住所等の使用を認証する。これにより、配送元に成り済ました第三者による所在情報の不正使用を防止する。
【００５９】
図１９は、実施の形態３の概要を示す図である。配布元端末３から配布先所在管理サーバ１への配布先リストの登録（３−１〜３−４）は、実施の形態１と同様である。本実施の形態では、配布先所在管理サーバ１で配布先リストに登録されている配布先に対して、配布先として認証コードの登録を促す認証コード登録メールを送信する（３−５）。そして、配布先端末２でそのメールに案内されたＵＲＬにアクセスすることにより、ブラウザを介して認証コード登録画面を表示し、受け付けた認証コードを配布先所在管理サーバ１に対して返信する（３−６〜３−８）。そして認証コードを配布元端末３に通知し（３−９）、実施の形態１の通り配送が行われる。配布元端末３は、配達先指定バーコードの他、認証バーコードも表書に印刷し、発送する（３−１０）。配送経路内端末４は、配達先指定バーコードと認証バーコードを読み取り、これらを送信して配布先所在管理サーバ１に配達先の所在を問い合わせる。認証コードが正当である場合のみ、配達先の所在情報が回答される。これにより、配送元に成り済ました発送を中断させる。
【００６０】
図２０は、実施の形態３に係る配送先リスト記憶部の例を示す図である。認証コードの項目を追加している。配布先リスト記憶部１１２に記憶された初期状態では、未登録となっているが、配布先端末２より認証コードを受信した場合には、その認証コードが記憶される。
【００６１】
以下、処理の詳細について説明する。配布先リストの登録（３−１〜３−４）に続いて、配布先端末２からの認証コードの登録が行われる（３−５〜３−９）。その為に配布先所在管理サーバ１は、配布先端末２へ認証コードの登録を促す処理を行なう。図２１は、認証コード登録処理に係る配達先所在管理サーバの構成を示す図である。配布先所在管理サーバ１は、認証コード登録画面を生成し、認証コード登録メールを配布先端末２に送信する認証コード登録依頼部１３０、認証コード登録画面を記憶する配布先登録承認画面記憶部１３１、及び配達先端末２に認証コード登録画面を提供し、認証コードを受け付けて配布先リスト記憶部１１２に記憶させる認証コード受付部１３２を有している。配布元管理テーブル１１１は、配布元ＩＤに対応付けて配布元のメールアドレスを記憶している。
【００６２】
図２２は、配布先所在管理サーバによる認証コード登録処理に係る処理フローを示す図である。認証コード登録依頼部１３０による認証コード登録依頼処理（Ｓ２２０１）に続いて、認証コード受付部１３２による認証コード受付処理（Ｓ２２０２）を行う。
【００６３】
認証コード登録依頼部１３０による認証コード登録依頼処理（Ｓ２２０１）について詳述する。図２３は、認証コード登録依頼処理フローを示す図である。配布先リスト記憶部１１２に新たに登録された配布先リストについて、配布先のレコード毎に以下の処理を繰り返す（Ｓ２３０１）。１１２から当該配布先の氏名、郵便番号、住所、電話番号を読み取り、画面の所定位置に配置し、更に認証コードの入力を促し、認証コードを受け付ける認証コード受付インターフェースを備えた認証コード登録画面を生成し、その画面を認証コード登録画面記憶部１３１に記憶させる（Ｓ２３０２）。その際、配布元ＩＤと配布先ＩＤを対応付けて記憶させる。そして、当該認証コード登録画面の格納場所を特定するＵＲＬのコードを含む認証コード登録メールを生成する（Ｓ２３０３）。このメールは、メール受信者が配布元からの依頼により、配布先所在管理サーバ１に配布物に係る配布先として登録されたことを前提に、配布元の適正を担保するための認証コードの登録を促すものである。配布先リスト記憶部１１２から当該配布先のメールアドレスを読み取り、生成した認証コード登録メールをそのメールアドレスに送信する（Ｓ２３０４）。すべての配布先に対してこの処理を行なう（Ｓ２３０５）。このようにして、配布先毎に認証コード登録画面を生成し、その画面へのアクセスを促すメールを配布先に送信する。
【００６４】
認証コード受付部１３２による認証コード受付処理（Ｓ２２０２）について説明する。図２４は、認証コード受付処理フローを示す図である。配布先端末２より送られる、認証コード登録メールに含まれるＵＲＬへのアクセス要求を待つ状態を維持する（Ｓ２４０１）。そして、アクセス要求を受信すると、そのＵＲＬにより特定される認証コード登録画面を配布先端末２に送信する（Ｓ２４０２）。そして、配布元ＩＤと配布先ＩＤを特定する（Ｓ２４０３）。具体的には、配布先登録承認画面に対応する配布元ＩＤと配布先ＩＤを配布先登録承認画面記憶部１２１より読み取る。あるいはＵＲＬのコード中に、配布元ＩＤと配布先ＩＤのコードを含むように設定し、アクセスを要求されたＵＲＬから配布元ＩＤと配布先ＩＤを特定することもできる。配布先端末２は、ブラウザに受信した認証コード登録画面を表示し、操作者の操作に従って認証コードを受け付けて配布先所在管理サーバ１に返信する。認証コード受付部１３２は、配布先端末２からの認証コードの受信を待ち（Ｓ２４０４）、所定時間経過するとタイムアウトによりＳ２４０１に戻る。認証コードを受信した場合には、配布先リストを更新する（Ｓ２４０５）。更新の手順としては、まず配布元ＩＤに対応する配布先リストを配布先リスト登録部１１２から特定し、更にその配布先リスト中から配布先ＩＤに対応するレコードを特定する。そして、認証コードをそのレコードに記憶させる。そして、認証コードが登録された旨とその認証コードを通知する認証コード通知メールを生成し、配布元ＩＤに対応するメールアドレスを配布元管理テーブル１１１から読み取り、そのメールアドレスに送信する（Ｓ２４０６）。
【００６５】
配布元端末３では、配達先指定バーコードの印字とともに認証バーコードの印字を行う（３−１０）。図２５は、配達先指定バーコードと認証バーコードの印字に係る配布元端末の構成を示す図である。認証コードをバーコードとして送り状や配送物の表面の配達先欄に印字する認証バーコード印字部３３０を有している。尚、認証バーコード印字部３３０は、送り状や配送物の表面の配達先欄に直接印字する代わりに、配達先欄に貼付するためのラベルに印字するように構成することもできる。
【００６６】
配布先ＩＤ受付部３１０による配布先ＩＤ受付処理では、配布先ＩＤと認証コードを受け付ける。例えば、配布元端末３の操作部から直接配布先ＩＤのコードと認証コードを入力する方法や、配布元端末３の他モジュールから配布先ＩＤと認証コードを受け付ける方法などが考えられる。
【００６７】
配達先指定バーコード印字部３１２による配達先指定バーコード印字処理に続いて、認証バーコード印字部３３０による認証コード印字処理で、配布先ＩＤ受付部３１０で受け付けた認証コードをバーコード変換した認証バーコードを、送り状の配達先欄または配送物の表面へ印字する。あるいは、送り状の配達先欄または配送物の表面の配達先欄（例えば、葉書や封書の表書き）に貼付するためのラベルに印字する。その場合、印字されたラベルはその配達先欄に貼付される。
【００６８】
続いて、配送経路内端末４による配達先特定と配布先所在管理サーバ１による配達先所在の回答（３−１１〜３−１３）について説明する。図２６は、配達先特定に係る配送経路内端末の構成を示す図である。配送経路内端末４は、配送物の送り状や表面の配達先欄から認証バーコードを読み取り、認証コードに変換する認証バーコード読取部４３０を有している。
【００６９】
配送物の送り状や表面の配達先欄から配達先指定バーコードを読み取り、配達先指定コードに変換する配達先指定バーコード読取処理（図７のＳ７０１）に続いて、認証バーコード読取部４３０による認証バーコード読取処理を行なう。この処理では、配送物の送り状や表面の配達先欄から認証バーコードを読み取り、認証コードに変換する。そして、配達先所在照会処理（Ｓ７０２）では、配達先指定コードと認証コードを含む配達先所在照会要求を配布先所在管理サーバ１に送信して、配布先所在管理サーバ１から返信される配達先の氏名や住所等の所在情報又は認証エラーを受信する。そして、配達先所在印字部４１２による配達先所在印字処理（Ｓ７０３）で、受信した配達先の所在情報又は認証エラーを配送物の送り状や表面に印字する。あるいは、その配達先欄に貼付するためのラベルに印字する。
【００７０】
他方配布先所在管理サーバ１側の処理について説明する。図２７は、配達先所在の回答に係る配達先所在管理サーバの構成を示す図である。配達先所在回答部１１５では、配達先指定コードと認証コードを含む配達先所在照会要求を受信し、配達先の氏名や住所等の所在情報又は認証エラーを返信するように構成されている。
【００７１】
図２８は、配達先所在管理サーバによる配達先所在の回答に係る処理フローを示す図である。実施の形態１と同様に、配達先所在回答部１１５で配達先所在照会要求の受信を待ち（Ｓ２８０１）、配布元ＩＤに対応する配布先リストを特定し（Ｓ２８０２）、配布先リストから配布先ＩＤを検索する（Ｓ２８０３）。検索した配布先ＩＤを有するレコードの認証コードの項目を読み取り、判定する（Ｓ２８０４）。認証コードが未登録の場合には、配布先ＩＤに対応する氏名、郵便番号、住所、電話番号を返信する（Ｓ２８０７）。認証コードが記憶されている場合には、配達先所在照会要求に含まされる認証コードと比較する（Ｓ２８０５）。一致する場合には、所在情報を返信するが（Ｓ２８０７）、不一致の場合には、認証エラーを返信する（Ｓ２８０６）。この例では、認証コードの登録を
任意事項としている。
【００７２】
上述の例によらず、認証コードの登録を必須事項とする場合には、認証コードが未登録の場合に、認証エラーを返信する。
【００７３】
実施の形態４．
新規に登録された配布先リストと既に登録されている配布先リストを比較し、同一人の所在情報が存在する場合に、作成更新日付の古い所在情報を新しい所在情報に書き換える処理について説明する。
【００７４】
本実施の形態では、配布元端末３から配布先毎に作成更新日付を備えた配布先リストを受信することを前提としている。
【００７５】
図２９は、実施の形態４の概要を示す図である。既登録の配布先リスト２９１０が配布先リスト登録部１１２に先に記憶されている状態で、新規の配布先リスト２９２０が後から追加された状態を想定する。両者のレコードを比較すると、新規の配布先リスト２９２０の配布先ＩＤ「Ｍ００１」と既登録の配布先リスト２９１０の配布先ＩＤ「Ｎ１０２」の氏名と免許証番号が一致する。その為同一人と判断できる。これらの作成更新日付を比較すると、「Ｎ１０２」の方が新しいので、「Ｍ００１」のレコードの住所（「東京都港区…」）を「Ｎ１０２」のレコードの住所（「横浜市泉区…」）に書き換える。また、新規の配布先リスト２９２０の配布先ＩＤ「Ｍ００３」と既登録の配布先リスト２９１０の配布先ＩＤ「Ｎ１０１」の氏名と免許証番号が一致するので、同一人と判断できる。作成更新日付を比較すると、「Ｍ００３」の方が新しいので、「Ｎ１０１」のレコードの住所（「埼玉県川口市…」）を「Ｍ００３」のレコードの住所（「千葉県千葉市…」）に書き換える。
【００７６】
上述の更新を行なうために、配布先所在管理サーバ１は配布先リスト更新部を有する。配布先リスト更新部による配布先リスト更新処理について説明する。図３０は、配布先リスト更新処理フローを示す図である。まず、新規の配布先リストの配布先毎（新規のレコード毎）に以下の処理を繰り返す（Ｓ３００１）。既登録の各配布先リストについて以下の処理を繰り返す（Ｓ３００２）。更に、当該既登録の配布先リストの配布先毎（既登録のレコード毎）について以下の処理を繰り返す（Ｓ３００３）。新規のレコードの氏名及び免許証番号が既登録のレコードの氏名及び免許証番号が一致するか判定する（Ｓ３００４）。両者が完全に一致する場合には、更に新規のレコードの作成更新日付と既登録のレコードの作成更新日付を比較する（Ｓ３００５）。新規のレコードの作成更新日付の方が新しい場合には、既登録のレコードの郵便番号、住所、電話番号、メールアドレス、作成日付に、新規のレコードの郵便番号、住所、電話番号、メールアドレス、作成日付をコピーし、上書きする（Ｓ３００６）。反対に、既登録のレコードの作成更新日付の方が新しい場合には、新規のレコードの郵便番号、住所、電話番号、メールアドレス、作成日付に、既登録のレコードの郵便番号、住所、電話番号、メールアドレス、作成日付をコピーし、上書きする（Ｓ３００７）。既登録の配布先リストの全ての配布先について処理した場合には、Ｓ３００２からＳ３００９の上位ループに移行する（Ｓ３００８）。また、既登録の全ての配布先リストについて処理した場合には、更にＳ３００１からＳ３０１０の上位ループに移行する（Ｓ３００９）。そして、新規の配布先リストの全ての配布先について処理した時点で終了する（Ｓ３０１０）。
【００７７】
本実施の形態における配布先リストに関する更新の処理は、後述する実施の形態で用いる配布先管理テーブルの更新に適用することができる。その場合、配布先管理テーブルは、更に配布先ＩＤに配布先の免許証番号と作成更新日付を対応付ける。また、配布先所在管理サーバは、配布先管理テーブルに記憶されている既登録の配布先の氏名と免許証番号と、配布先管理テーブルに記憶される新規の配布先の氏名と免許証番号が一致する場合に、対応する作成更新日付を比較し、新しい作成更新日付に対応する住所を、古い作成更新日付に対応する住所にコピーする配布先管理テーブル更新部を有することになる。
【００７８】
実施の形態５．
本実施の形態では、配布先が要求する配布物の分野を予め登録し、配布元が提供する分野を指定すると、配布元に適応する配布先を紹介する。
【００７９】
本実施の形態における処理の概要を説明する。図３１は、実施の形態５の概要を示す図である。
（１）配布先端末２から配布先所在管理サーバ１への要求分野の登録
各配布先が要求する配布物の分野を予め配布先所在管理サーバ１に登録しておく（５−１〜５−６）。
（２）配布先所在管理サーバ１から配布元端末３への適応配布先の紹介
特定の配布物を配布しようとする配布元は、当該配布物の分野を指定し、適応する配布先の配布先ＩＤを配布先所在管理サーバ１より取得する（５−７〜１３）。
（３）配布元端末３による配達先指定バーコードの印字
配布元端末３は、配布先ＩＤを含む配達先指定バーコードを配達先欄に印字する。
（４）配送経路内端末４による配達先特定と配布先所在管理サーバ１による配達先所在の回答
配送経路内端末４は、配送物の配達先欄から読み取った配達先指定コード（配布物ＩＤ）により配布先所在管理サーバ１に配布先の所在情報を要求し、返信された配布先の所在を配達先欄に印字する。
【００８０】
本実施の形態に係る配送先リストは、配布元端末３から登録したものに限らず、配布先端末２から配布先自身が登録したものであってもよい。例えば、配布先が配布先所在管理サーバ１にアカウントを取得する際に氏名や住所などの所在情報を登録し、配送先リストとして記憶することも有効である。
【００８１】
図３２は、実施の形態５に係る配送先リスト記憶部の例を示す図である。配布先毎にレコードを設け、配布先ＩＤに対応付けて、氏名と郵便番号と住所と電話番号と電子メールアドレスの項目を記憶するように構成されている。
【００８２】
＜（１）配布先端末２から配布先所在管理サーバ１への要求分野の登録＞
図３３は、要求分野の登録に係る配布先所在管理サーバの構成を示す図である。配布先所在管理サーバ１は、配布先端末２からのログインを認証する配布先ログイン認証部１５０、配布先毎に配布先ＩＤと認証に用いるパスワードを記憶している配布先管理テーブル１５１、配布先端末２から要求する分野を登録する要求分野登録部１５２、分野毎に分野ＩＤと分野名を記憶している分野管理テーブル１５３、配布先ＩＤに対応付けて要求分野のＩＤを記憶する要求分野記憶部１５４、及び配布先端末２のログアウトを処理する配布先ログアウト部１５５を有している。
【００８３】
図３４は、配布先所在管理サーバによる要求分野の登録に係る処理フローを示す図である。配布先ログイン認証部１５０による配布先ログイン認証処理（Ｓ３４０１）では、配布先端末２からのアクセス要求を受信すると、ログイン画面を送信する。ログイン画面は、配布先端末２のブラウザに表示され、操作者に配布先ＩＤとパスワードの入力を促し、入力された配布元ＩＤとパスワードを配布先端末２から配布先所在管理サーバ１に返信するように構成されている。この画面を介して配布先ログイン認証部１５０は、配布元端末３から配布元ＩＤとパスワードを受信する。そして、配布先管理テーブル１５１を検索し、受信した配布先ＩＤとパスワードの組み合せと同じ組み合せが存在する場合に、ログイン成功と判断し、以降の処理の続行を許可する。他方同じ組み合せが存在しない場合には、ログイン失敗と判断し、以降の処理の続行を拒否する。
【００８４】
要求分野登録部１５２による要求分野登録処理（Ｓ３４０２）では、分野管理テーブル１５３から各分野の分野ＩＤと分野名を読み取り、所定の位置に分野名を配置し、併せて要求する配布物の分野の選択を促し、分野の選択を受け付ける要求分野選択受付インターフェースを備えた要求分野登録画面を生成し、その画面を配布先端末２に送信する。そして、配布先端末２から要求分野の選択に関する情報を受信し、要求分野のＩＤを特定し、要求分野のＩＤを当該配布先のＩＤと対応付けて要求分野記憶部１５４に記憶させる。
【００８５】
配布先ログアウト部１５５による配布先ログアウト処理（Ｓ３４０３）では、ログアウトの指示を促すログアウト画面を配布先端末２に送信し、その指示に従って配布先端末２からログアウト要求を受信し、ログアウト処理する。以降ログイン中のみ許可される処理は、実行不能となる。
【００８６】
＜（２）配布先所在管理サーバ１から配布元端末３への適応配布先の紹介＞
図３５は、適応配布先の紹介に係る配布先所在管理サーバの構成を示す図である。配布先所在管理サーバ１は、配布元端末３から提供する分野の指定を受け付ける提供分野指定部１５６、適応する配布先のＩＤ群を回答する適応配布先回答部１５７を有している。
【００８７】
図３６は、配布先所在管理サーバによる適応配布先の紹介に係る処理フローを示す図である。配布元ログイン認証部１１０による配布元ログイン認証処理（Ｓ３６０１）で、配布元端末３からのログインを認証して配布元ＩＤを特定する。次に提供分野指定部１５６による提供分野指定処理（Ｓ３６０２）で、分野管理テーブル１５３から各分野の分野ＩＤと分野名を読み取り、所定の位置に分野名を配置し、併せて提供する配布物の分野の選択を促し、分野の選択を受け付ける提供分野選択受付インターフェースを備えた提供分野指定画面を生成し、その画面を配布元端末３に送信する。そして、配布元端末３から提供分野の選択に関する情報を受信し、提供分野のＩＤを特定する。
【００８８】
適応配布先回答部１５７による適応配布先回答処理（Ｓ３６０３）では、要求分野記憶部１５４から提供分野ＩＤと同じ分野ＩＤである要求分野ＩＤを検索する。そして、該当する要求分野ＩＤに対応付けられている配布先ＩＤを読み取る。読み取った配布先ＩＤ群を適応配布先ＩＤ群として、配布元端末３に返信する。その際、配布元ログイン認証部１１０で特定した配布元ＩＤに対応付けられているメールアドレスを配布元管理テーブル１１１から取得し、そのアドレスに送信する。この例によらず、ファイル転送により送信してもよい。そして、最後に配布元ログアウト部１１４による配布元ログアウト処理（Ｓ３６０４）で、配布元端末３のログアウトを処理して終了する。
【００８９】
＜（３）配布元端末３による配達先指定バーコードの印字＞
図３７は、配達先指定バーコードの印字に係る配布元端末の構成を示す図である。配布先ＩＤ受付部３１０は、配布先ＩＤを受け付け、配達先指定バーコード印字部３１２で配布先ＩＤを含む配達先指定バーコードを印字する。本実施の形態では、特に適応配布先ＩＤ群を受け付けて印字することが有効である。
【００９０】
＜（４）配送経路内端末４による配達先特定と配布先所在管理サーバ１による配達先所在の回答＞
配送経路内端末４は、配布先ＩＤを含む配達先指定バーコードを読み取り、配達先指定コードに変換し、配布先ＩＤを含む配達先所在照会要求を送信し、配達先の所在情報を取得し、配達先欄に印字する。
【００９１】
図３８は、配達先所在管理サーバによる配達先所在の回答に係る処理フローを示す図である。配達先所在照会要求を受信すると（Ｓ３８０１）、配布先リストから配布先ＩＤを検索し（Ｓ３８０２）、配布先ＩＤに対応する氏名、郵便番号、住所、電話番号を配送経路内端末４に返信する（Ｓ３８０３）。
【００９２】
本実施の形態の配布支援システムにより、配布元が提供する配布物を欲する配布先に対して効率的に配布できるようになる。
【００９３】
実施の形態６．
本実施の形態では、配布元が提供する配布物の分野を予め登録し、配布先が要求する分野を指定すると、この配布先の要求を適応する配布元に仲介する。
【００９４】
本実施の形態における処理の概要を説明する。図３９は、実施の形態６の概要を示す図である。
（１）配布元端末３から配布先所在管理サーバ１への提供分野の登録
各配布元が提供可能な配布物の分野を予め配布先所在管理サーバ１に登録しておく（６−１〜６−６）
（２）配布先所在管理サーバ１による配布先端末２から配布元端末３への配布要求の仲介
特定の配布物の配布を希望する者（配布先）は、当該配布物の分野を指定する。配布先所在管理サーバ１は、当該分野を提供可能な配布元群へ配布先ＩＤを送信する（６−７〜１３）。
（３）配布元端末３による配達先指定バーコードの印字
実施の形態５と同様である（６−１４）。
（４）配送経路内端末４による配達先特定と配布先所在管理サーバ１による配達先所在の回答
実施の形態５と同様である（６−１５〜６−１７）。
【００９５】
＜（１）配布元端末３から配布先所在管理サーバ１への提供分野の登録＞
図４０は、提供分野の登録に係る配布先所在管理サーバの構成を示す図である。配布先所在管理サーバ１は、配布元端末３から提供分野の登録を受け付ける提供分野登録部１６０、配布元毎に配布元ＩＤと提供分野を対応付けて記憶する提供分野記憶部１６１を有する。
【００９６】
図４１は、配布先所在管理サーバによる提供分野の登録に係る処理フローを示す図である。配布元ログイン認証処理（Ｓ４１０１）で、配布元端末３からのログインを認証して配布元のＩＤを特定し、提供分野登録部１６０による提供分野登録処理（Ｓ４１０２）で、分野管理テーブル１５３から各分野の分野ＩＤと分野名を読み取り、所定の位置に分野名を配置し、併せて提供する配布物の分野の選択を促し、分野の選択を受け付ける提供分野登録受付インターフェースを備えた提供分野登録画面を生成し、その画面を配布元端末３に送信する。そして、配布元端末３から提供分野の選択に関する情報を受信し、提供分野のＩＤを特定し、提供分野のＩＤを当該配布元のＩＤと対応付けて提供分野記憶部１６１に記憶させる。最後に配布元ログアウト処理（Ｓ４１０３）で、配布元端末３からのログアウト要求に応じてログアウト処理する。
【００９７】
＜（２）配布先所在管理サーバ１による配布先端末２から配布元端末３への配布要求の仲介＞
図４２は、配布要求の仲介に係る配布先所在管理サーバの構成を示す図である。配布先所在管理サーバ１は、配布先端末２から要求分野の指定を受け付ける要求分野指定部１６２、及び要求分野に応じる提供分野を登録している配布元にその配布先のＩＤを送信する適応配布先通知部１６３を有している。
【００９８】
図４３は、配布先所在管理サーバによる配布要求の仲介に係る処理フローを示す図である。配布先ログイン認証処理（Ｓ４３０１）で、配布先端末２からのログインを認証して配布先のＩＤを特定する。要求分野指定部１６２による要求分野指定処理（Ｓ４３０２）で、分野管理テーブル１５３から各分野の分野ＩＤと分野名を読み取り、所定の位置に分野名を配置し、併せて要求する配布物の分野の選択を促し、分野の選択を受け付ける要求分野選択受付インターフェースを備えた提供分野指定画面を生成し、その画面を配布先端末２に送信する。そして、配布先端末２から要求分野の選択に関する情報を受信し、要求分野のＩＤを特定する。
【００９９】
適応配布先通知部１６３による適応配布先通知処理（Ｓ４３０３）で、提供分野記憶部１６１から要求分野ＩＤと同じ分野ＩＤである提供分野ＩＤを検索する。そして、該当する提供分野ＩＤに対応付けられている配布元ＩＤを読み取る。読み取った配布元ＩＤにより特定される配布元に配布先ＩＤを適応配布先ＩＤとして送信する。その際、配布元ＩＤに対応付けられているメールアドレスを配布元管理テーブル１１１から取得し、そのアドレスに送信する。この例によらず、ファイル転送により送信してもよい。そして、最後に配布先ログアウト部１５５による配布先ログアウト処理（Ｓ４３０４）で、配布先端末２のログアウトを処理して終了する。
【０１００】
尚、他の処理については、上述の実施の形態における処理と同様であるので、省略する。また、以下の実施の形態においても、既に説明した処理については省略する。
【０１０１】
実施の形態７．
本実施の形態では、所有者が所有する製品（電気製品や機械製品など）を特定して自らの氏名と住所などの所在情報を登録することにより、それらの製品の製造業者に所有者を配布先として通知する。本実施の形態では、所有者が配布先となり、製造業者である配布元から製品に関する配布物（メンテナンス関連書類やオプション製品など）が所有者宛に配布される。
【０１０２】
本実施の形態における処理の概要を説明する。図４４は、実施の形態７の概要を示す図である。
（１）配布先端末２から配布先所在管理サーバ１への製品所有の登録
所有者が自ら所有する製品を特定する情報と、自身の所在情報を登録する（７−１〜７−６）。配布先所在管理サーバ１は、登録された製品の製造業者に配布先ＩＤを通知する（７−７）。本実施の形態における配布先ＩＤは、製造業者ＩＤと製品ＩＤと製造番号を含んでいる。
（２）配布元端末３による配達先指定バーコードの印字
製造業者ＩＤと製品ＩＤと製造番号からなる配布先ＩＤを配達先指定バーコードとして印字する（７−８）。
（３）配送経路内端末４による配達先特定と配布先所在管理サーバ１による配達先所在の回答
製造業者ＩＤと製品ＩＤと製造番号からなる配布先ＩＤにより配達先の所在を照会する（７−１０）。
【０１０３】
図４５は、実施の形態７に係る配送先リスト記憶部の例を示す図である。本実施の形態では、所有する製品型を識別する製品ＩＤと、製品の個体を識別する製造番号とを氏名や住所等の所在情報と対応付けて記憶している。そして、この製造業者ＩＤと製品ＩＤと製造番号の組み合せを配布先ＩＤとして用いる。
【０１０４】
＜（１）配布先端末２から配布先所在管理サーバ１への製品所有の登録＞
図４６は、製品所有の登録に係る配布先所在管理サーバの構成を示す図である。配布先所在管理サーバ１は、配布先端末２から所有する製品を特定する情報を受け付ける所有製品受付部１７０、製品毎に製品型を識別する製品ＩＤと、製品名と、製品を製造した製造業者を識別する製造業者ＩＤを対応付けて記憶している製品管理テーブル１７１、製造業者毎に製造業者を識別する製造業者ＩＤと、製造業者名と、メールアドレスを対応付けて記憶する配布元（製造業者）管理テーブル１７２、配布先端末２から製品の所在情報（配布先の所在情報となる。）を受け付ける配布先所在（製品所在）受付部１７３、配布先を登録する配布先登録部１７４、配布先毎に製造業者ＩＤと製品ＩＤと製造番号からなる配布先ＩＤと所在情報を記憶する配布先（所有者）管理テーブル１７５、配布元端末３に配布先ＩＤを通知する配布先通知部１７６を有している。
【０１０５】
本実施の形態では製造業者が配布元となるので、配布元管理テーブルは、製造業者管理テーブルを兼ねる。また、製造業者ＩＤとして配布元ＩＤを用い、製造業者のメールアドレスとして配布元のメールアドレスを用いて説明する。
【０１０６】
また本実施の形態では所有者が配布先となるので、配布先管理テーブルは、所有者管理テーブルを兼ねる。また、所有者ＩＤとして配布先ＩＤを用い、製造業者の氏名や住所の所在情報及びメールアドレスとして、配布元の所在情報及びメールアドレスを用いて説明する。
【０１０７】
図４７は、配布先所在管理サーバによる製品所有の登録に係る処理フローを示す図である。所有製品受付部１７０による所有製品受付処理（Ｓ４７０１）では、製品管理テーブル１７１から各製品の製品ＩＤと製品名と製造業者ＩＤを読み取り、更に配布元（製造業者）管理テーブル１７２から製造業者ＩＤと製造業者名を読み取り、製造業者名を表示し、製造業者の選択を促し、製造業者の選択を受け付ける製造業者選択受付インターフェースと、製品名を表示し、製品の選択を促し、製品の選択を受け付ける製品選択受付インターフェースと、製造番号の入力を促し、製造番号を受け付ける製造番号受付インターフェースを備えた所有製品受付画面を生成し、その画面を配布先端末２に送信する。そして、配布先端末２から製造業者の選択と製品の選択と製造番号に関する情報を受信し、製造業者ＩＤと製品ＩＤと製造番号を特定する。
【０１０８】
配布先所在（製品所在）受付部１７３による配布先所在（製品所在）受付処理（Ｓ４７０２）で、所有者の所在（製品の所在と同義）を特定する氏名、郵便番号、住所、及び電話番号の入力を促し、これらの情報を受け付ける製品所在受付画面を配布先端末２に送信し、配布先端末２から返信される氏名、郵便番号、住所、及び電話番号を受信する。
【０１０９】
配布先登録部１７４による配布先登録処理（Ｓ４７０３）では、所有製品受付部１７０で特定した製造業者ＩＤと製品ＩＤと製造番号からなる配布先ＩＤに対応付けて、配布先所在（製品所在）受付部１７３で受信した氏名、郵便番号、住所、及び電話番号を配布先（所有者）管理テーブル１７５に記憶させる。
【０１１０】
最後に、配布先通知部１７６に配布先通知処理（Ｓ４７０４）で、所有製品受付部１７０で特定した製造業者ＩＤに対応するメールアドレスを配布元（製造業者）管理テーブル１７２から取得し、そのメールアドレスに製品ＩＤと製造番号からなる配布先ＩＤを通知する配布先通知メールを送信する。
【０１１１】
＜（２）配布元端末３による配達先指定バーコードの印字＞
図４８は、配達先指定バーコードの印字に係る配布元端末の構成を示す図である。配布先ＩＤ受付部３１０による配布先ＩＤ受付処理で、製造業者ＩＤと製品ＩＤと製造番号からなる配布先ＩＤを受け付け、その配布先ＩＤを含む配布先指定コードをバーコードに変換し、配布先指定バーコードとして配達先欄又はラベルに印刷する。
【０１１２】
＜（３）配送経路内端末４による配達先特定と配布先所在管理サーバ１による配達先所在の回答＞
図４９は、配達先所在管理サーバによる配達先所在の回答に係る処理フローを示す図である。配達先所在照会要求を受信すると（Ｓ４９０１）、配達先所在照会要求に含まれる配布先ＩＤを成す製造業者ＩＤと製品ＩＤと製造番号を特定する。そして、配布先リスト中から製造業者ＩＤと製品ＩＤと製造番号からなる配布先ＩＤを検索する（Ｓ４９０２）。そして、一致した配布先ＩＤ（製造業者ＩＤと製品ＩＤと製造番号）に対応する氏名、郵便番号、住所、電話番号を読み取り、配送経路内端末４に返信する（Ｓ４９０３）。
【０１１３】
本実施の形態の配布支援システムにより、製品所有者に対する製造業者から配布が簡単かつ迅速に行われる。
【０１１４】
実施の形態８．
実施の形態７では、所有者からの製品の登録が成される度に製造業者に通知する形態を説明したが、本実施の形態では、配布元からの問い合わせに応じて指定された製品を所有する配布先のＩＤ群を配布元へ回答する。
【０１１５】
本実施の形態における処理の概要を説明する。図５０は、実施の形態８の概要を示す図である。
（１）配布先端末２から配布先所在管理サーバ１への製品所有の登録
実施の形態７と同様である（８−１〜８−６）。
（２）製品所有配布先の抽出
配布元端末３から製品を指定して配布先の抽出を指示すると、配布先所在管理サーバ１は当該製品を所有する配布先のリストを配布元端末３に返信する（８−７〜８−１０）。
（３）配布元端末３による配達先指定バーコードの印字
実施の形態７と同様である（８−１１）。
（４）配送経路内端末４による配達先特定と配布先所在管理サーバ１による配達先所在の回答
実施の形態７と同様である（８−１２〜８−１４）。
【０１１６】
図５１は、製品所有配布先の抽出に係る配布先所在管理サーバの構成を示す図である。配布先所在管理サーバ１は、配布元端末３から配布先を抽出する条件を受け付ける配布先抽出条件受付部１８０、抽出条件に従って配布先を抽出する配布先抽出部１８１、抽出した配布先を回答する抽出配布先回答部１８２を有している。
【０１１７】
図５２は、配布先所在管理サーバによる製品所有配布先の抽出に係る処理フローを示す図である。配布元ログイン認証部１１０による配布元ログイン認証処理で、配布元端末３からのログイン認証処理を行ない、配布元ＩＤを特定する。
【０１１８】
次に配布先抽出条件受付部１８０による配布先抽出条件受付処理で、製品管理テーブル１７１から各製品の製品ＩＤと製品名と製造業者ＩＤ（＝配布元ＩＤ）を読み取り、配布元ログイン認証部１１０で特定した配布元ＩＤ（＝製造業者ＩＤ）に対応する製品名を表示し、製品の選択を促し、製品の選択を受け付ける製品選択受付インターフェースと、製造番号範囲の入力を促し、製造番号範囲を受け付ける製造番号範囲受付インターフェースを備えた配送先抽出条件画面を生成し、その画面を配布元端末３に送信する。そして、配布元端末３から製品の選択と製造番号範囲に関する情報を受信し、製品ＩＤと製造番号範囲を特定する。尚、製造番号範囲の入力を省略した場合には、全範囲を指定した場合と同様に製造番号についての条件を設けない。
【０１１９】
次に配布先抽出部１８１による配布先抽出処理で、配布先抽出条件受付部１８０により特定された製品ＩＤと一致し、製造番号が製造番号範囲に含まれる配布先ＩＤを検索し、抽出する。製造番号範囲が指定されていない場合には、製品ＩＤが一致する配布先ＩＤを検索し、抽出する。
【０１２０】
そして抽出配布先回答部１８２による抽出配布先回答処理で、抽出した配布先ＩＤ群を抽出配布先リストとして配布元端末３に返信する。直接コードを転送する方法の他、メールで転送する方法やファイルとして転送することも考えられる。
【０１２１】
最後に配布元ログアウト部１１４による配布元ログアウト処理で、配布元端末３のログアウトを処理して終了する。
【０１２２】
本実施の形態の配布支援システムにより、製品所有者群に対する一斉の配布が可能となる。
【０１２３】
実施の形態９．
本実施の形態では、書籍の所有者が所有する書籍を特定して自らの氏名と住所などの所在情報を登録する。配布元となる出版者は、書籍を指定して所有者を問い合わせ、指定された書籍を所有する配布先のＩＤ群を得る。これにより、出版者から所有者に書籍に関する配布物（例えば、正誤表や続編の案内など）の配布が行われる。
【０１２４】
本実施の形態における処理の概要を説明する。図５３は、実施の形態９の概要を示す図である。
（１）配布先端末２から配布先所在管理サーバ１への書籍所有の登録
所有者が自ら所有する書籍を特定する情報（ＩＳＢＮ）と、自身の所在情報を登録する（９−１〜９−６）。各書籍について、その書籍の登録順位に相当する登録番号を１から順に連続的に付する。そして、ＩＳＢＮと登録番号により配布先ＩＤが構成される。
（２）配布先所在管理サーバ１による書籍所有登録数の算出
配布元端末３から指定された書籍について配布先の登録数を算出して回答する（９−７〜９−１０）。
（３）配布元端末３による配達先指定バーコードの印字
ＩＳＢＮと登録番号からなる配布先ＩＤを配達先指定バーコードとして印字する（９−１１）。
（４）配送経路内端末４による配達先特定と配布先所在管理サーバ１による配達先所在の回答
ＩＳＢＮと登録番号からなる配布先ＩＤにより配達先の所在を照会する（９−１３）。
【０１２５】
図５４は、実施の形態９に係る配送先リスト記憶部の例を示す図である。本実施の形態では、所有する書籍を識別するＩＳＢＮ（書籍識別番号の例）と、登録の都度付与される登録番号と、氏名や住所等の所在情報とを対応付けて記憶している。そして、このＩＳＢＮと登録番号の組み合せを配布先ＩＤとして用いる。
【０１２６】
＜（１）配布先端末２から配布先所在管理サーバ１への書籍所有の登録＞
図５５は、書籍所有の登録に係る配布先所在管理サーバの構成を示す図である。配布先端末２から所有する書籍を特定する情報（例えば、ＩＳＢＮ）を受け付ける所有書籍受付部１９０、書籍毎にＩＳＢＮと書籍名と出版者名を対応付けて記憶しているＩＳＢＮテーブル１９１と、所有者の所在（書籍の所在）を受け付ける配布先所在（書籍所在）受付部１９２を有している。
【０１２７】
図５６は、配布先所在管理サーバによる書籍所有の登録に係る処理フローを示す図である。所有書籍受付部１９０による所有書籍受付処理（Ｓ５６０１）では、所有する書籍を識別するＩＳＢＮ（書籍識別情報の例）の入力を促し、ＩＳＢＮを受け付けるＩＳＢＮ受付インターフェースを備えた所有書籍受付画面を作成し、配布先端末２に送信する。そして、配布先端末２からＩＳＢＮを受信する。尚、所有書籍受付部１９０でＩＳＢＮを受信した際に、ＩＳＢＮに対応付けられている出版者名と書籍名をＩＳＢＮテーブル１９１から読み取り、それらを所定位置に配置し、改めて確認を促し、確認指示を返信するように構成された所有書籍受付画面を生成し、配布先端末２にこの画面を再送信し、配布先端末２から返信される確認指示を受信した場合に、受信したＩＳＢＮを有効として扱うことにすることもできる。
【０１２８】
ＩＳＢＮテーブル１９１による配布先所在（書籍所在）受付処理（Ｓ５６０２）では、所有者の所在（書籍の所在と同義）を特定する氏名、郵便番号、住所、及び電話番号の入力を促し、これらの情報を受け付ける書籍所在受付画面を配布先端末２に送信し、配布先端末２から返信される氏名、郵便番号、住所、及び電話番号を受信する。
【０１２９】
配布先登録部１７４による配布先登録処理（Ｓ５６０３）では、所有書籍受付部１９０で特定したＩＳＢＮに対応付けられている登録番号の最大値（＝登録数）を配布先（所有者）管理テーブル１７５から読み取る。登録番号が無い場合には、最大値を０として扱う。そして、その最大値に１を加えて新たな登録番号とし、ＩＳＢＮと新たな登録番号からなる配布先ＩＤに対応付けて、配布先所在（書籍所在）受付部１９２で受信した氏名、郵便番号、住所、及び電話番号を配布先（所有者）管理テーブル１７５に記憶させる。
【０１３０】
ここで、実施の形態７のように配布先通知部１７６を設け、ＩＳＢＮと新たな登録番号からなる配布先ＩＤを通知する配布先通知メールを送信することもできる。その場合には、出版者管理テーブルでもある配布元管理テーブルで、出版者名とメールアドレスを対応付けて記憶しておき、所有書籍受付部１９０で特定した出版者名に対応するメールアドレスを、配布元管理テーブルから取得して、そのメールアドレスに配布先通知メールを送信する。
【０１３１】
図５７は、書籍所有登録数の算出に係る配布先所在管理サーバの構成を示す図である。出版者である配布元のＩＤ、認証用のパスワード、出版者名を対応付けて記憶している配布元（出版者）管理テーブル１９３、指定された書籍の所有者の登録数を算出する条件を受け付ける登録数算出条件受付部１９４、書籍の所有者の登録数を算出する登録数算出部１９５、登録数を回答する登録数回答部１９６を備えている。
【０１３２】
図５８は、配布先所在管理サーバによる書籍所有登録数の算出に係る処理フローを示す図である。配布元ログイン認証部１１０による配布元ログイン認証処理（Ｓ５８０１）で、配布元端末３からのログイン認証を行い、配布元（出版者）管理テーブル１９３で配布先ＩＤに対応付けられている出版者名を特定する。
【０１３３】
登録数算出条件受付部１９４による登録数算出条件受付処理（Ｓ５８０２）で、登録数を求める書籍を識別するＩＳＢＮ（書籍識別情報の例）の入力を促し、ＩＳＢＮを受け付けるＩＳＢＮ受付インターフェースを備えた登録数算出条件画面を作成し、配布元端末３に送信する。そして、配布元端末３からＩＳＢＮを受信する。尚、登録数算出条件受付部１９４でＩＳＢＮを受信した際に、ＩＳＢＮに対応付けられている出版者名、書籍名をＩＳＢＮテーブル１９１から読み取り、それらを所定位置に配置し、改めて確認を促し、確認指示を返信するように構成された登録数算出条件画面を生成し、配布元端末３にこの画面を再送信し、配布元端末３から返信される確認指示を受信した場合に、受信したＩＳＢＮを有効として扱うことにすることもできる。また、ＩＳＢＮに対応付けられている出版者名が配布元ログイン認証部１１０で特定した出版者名と異なる場合に、エラー又は警告を返信するようにすることも有効である。
【０１３４】
登録数算出部１９５による登録数算出処理（Ｓ５８０３）で、登録数算出条件受付部１９４で受信したＩＳＢＮを含む配布先ＩＤをすべて取得し、配布先ＩＤに対応する登録番号のうち、最大の登録番号を特定し、これを登録数とする。あるいは、取得した配布先ＩＤを計数し、ＩＳＢＮが一致した配布先ＩＤの総数を登録数とする。
【０１３５】
登録数回答部１９６による登録数回答処理（Ｓ５８０４）で、配布元端末３に登録数を返信し、配布元ログアウト部１１４による配布元ログアウト処理（Ｓ５８０５）で、配布元端末３のログアウトを処理して終了する。
＜（３）配布元端末３による配達先指定バーコードの印字＞
図５９は、配達先指定バーコードの印字に係る配布元端末の構成を示す図である。配布先ＩＤ受付部３１０による配布先ＩＤ受付処理で、ＩＳＢＮと登録番号からなる配布先ＩＤを受け付ける。このとき、１から登録数までの登録番号を用いる。配達先指定バーコード印字部３１２による配達先指定バーコード印字処理で、ＩＳＢＮと登録番号からなる配布先ＩＤを配達先指定コードとし、これをバーコードに変換し、変換された配達先指定バーコードを配達先欄に印字する。
＜（４）配送経路内端末４による配達先特定と配布先所在管理サーバ１による配達先所在の回答＞
図６０は、配達先所在管理サーバによる配達先所在の回答に係る処理フローを示す図である。配送経路内端末４では、読み取った配達先指定コード（ＩＳＢＮと登録番号からなる配布先ＩＤ）を含む配達先所在照会要求を送信する。配布先所在管理サーバ１では、この配達先所在照会要求を受信すると（Ｓ６００１）、配布先リストからこの要求に含まれる配布先ＩＤ（ＩＳＢＮと登録番号の組み合わせ）を検索する（Ｓ６００２）。そして、一致した配布先ＩＤに対応する氏名、郵便番号、住所、電話番号を配送経路内端末４に返信する（Ｓ６００３）。
【０１３６】
本実施の形態の配布支援システムにより、書籍所有者群に対する一斉の配布が可能となる。
【０１３７】
上述の例では、セキュリティ確保のため、ログインした状態で照会や回答の処理を行なったが、第三者がアクセスできない通信条件であれば、ログインとログアウトに係る手順は省略することができる。
【０１３８】
上述のバーコードは、読取装置による読取が可能なコード情報を記録した情報媒体であるコード記録体の一態様である。二次元コード（ＱＲコード等）やコードを記録したＲＦタグなどもコード記録体の例である。従って、上述の例における配達先指定バーコードは、配達先指定コード記録体の例であり、配達先指定二次元コードや、ＲＦタグに記録した配達先指定コード（ＲＦタグ記録配達先指定コード）等に置き換えることができる。読取装置としては、二次元コード読取装置やＲＦタグ読取装置が用いられる。書込装置としては、印字装置やＲＦタグ書込装置が用いられる。ＲＦタグ記録コードの場合、所定位置に対するバーコードの印字に代えて、ＲＦタグの所定記憶領域へのコードの書込みを行う。また、所定位置からのバーコードの読取りに代えて、ＲＦタグの所定記憶領域からのコードの読取りを行う。配布元ＩＤと配布先ＩＤ、製品ＩＤと製造番号、及びＩＳＢＮと登録番号は、それぞれ共通のＲＦタグに記憶させることができる。その場合、それぞれの所定領域に書込み、所定領域から読み込むことになる。
【０１３９】
送り状は、配送物の表書媒体の一態様である。封書や葉書など郵便物では、配達先や発送元の各記入事項が配送物の表面に直接印字され、表示される。また、送り状や配送物の表面に印字する他、送り状や配送物に貼り付けるためのラベルへの印字も表書印字の一態様である。つまり、配布元端末３や配送経路内端末４における表書としての印字は、配送物に直接印字する他、印字後に表書として付することを前提として別媒体に印字する形態も含まれる。
【０１４０】
ＲＦタグを用いる場合、配送物に既に付されているＲＦタグへの書込の他、後で付されることを前提としたＲＦタグへの書込も、バーコード印字で例示したコード記録体書込の態様の一種である。
【０１４１】
表書として印字する宛先となる所在情報としては、少なくとも氏名と住所を含む。郵便業者による配送の場合には、更に郵便番号を加えることが有効である。輸送業者による配送の場合には、電話番号を加えることが有効である。また、問い合わせの利便を考慮するとメールアドレスを加えることも考えられる。
【０１４２】
所在情報の登録において、更に追加の個人情報として、個人や会社の区分、生年月日、現住所の他に前住所、ＰＣ及び携帯電話のメールアドレス、運転免許証番号、パスポート番号、各種免許に係る情報、所持品に係る情報、バイオデータ（例えば、指紋データ）、資産に係る情報等を登録してもよい。
【０１４３】
尚、配布先リストの変更は、配布先が住所を変更した場合などで、自ら入力して、変更登録をすることも可能である。
【０１４４】
また、電子メールの対応に関しては、配布先ＩＤで電子メールの配信も可能である。例えば、配布先ＩＤを一部に含むアドレス（例えば、配布先ＩＤ＠ｈｉｔｏｋｕｂｕｔｕｒｙｕｕ．ｃｏ．ｊｐ）を用いて、一旦配布先所在管理サーバで受信し、その後、配布先ＩＴに対応付けて登録されているメールアドレスに転送する。
【０１４５】
配布先所在管理サーバ１、配布先端末２、配布元端末３、配送経路内端末４は、いずれもコンピュータであり、各要素はプログラムにより処理を実行することができる。また、プログラムを記憶媒体に記憶させ、記憶媒体からコンピュータに読み取られるようにすることができる。
【図面の簡単な説明】
【０１４６】
【図１】実施の形態１の概要を示す図である。
【図２】実施の形態１に係る配布先リスト記憶部の例を示す図である。
【図３】配布先リストの登録に係る配布先所在管理サーバの構成を示す図である。
【図４】配布先所在管理サーバによる配布先リストの登録に係る処理フローを示す図である。
【図５】配達先指定バーコードの印字に係る配布元端末の構成を示す図である。
【図６】配達先特定に係る配送経路内端末の構成を示す図である。
【図７】配送経路内端末による配達先特定に係る処理フローを示す図である。
【図８】配達先所在の回答に係る配達先所在管理サーバの構成を示す図である。
【図９】配達先所在管理サーバによる配達先所在の回答に係る処理フローを示す図である。
【図１０】実施の形態２の概要を示す図である。
【図１１】実施の形態２に係る配送先リスト記憶部の例を示す図である。
【図１２】被承認処理に係る配達先所在管理サーバの構成を示す図である。
【図１３】配布先所在管理サーバによる被承認処理に係る処理フローを示す図である。
【図１４】承認依頼処理フローを示す図である。
【図１５】承認受付処理フローを示す図である。
【図１６】配達先特定に係る配送経路内端末の構成を示す図である。
【図１７】配達先所在の回答に係る配達先所在管理サーバの構成を示す図である。
【図１８】配達先所在管理サーバによる配達先所在の回答に係る処理フローを示す図である。
【図１９】実施の形態３の概要を示す図である。
【図２０】実施の形態３に係る配送先リスト記憶部の例を示す図である。
【図２１】認証コード登録処理に係る配達先所在管理サーバの構成を示す図である。
【図２２】配布先所在管理サーバによる認証コード登録処理に係る処理フローを示す図である。
【図２３】認証コード登録処理フローを示す図である。
【図２４】認証コード受付処理フローを示す図である。
【図２５】配達先指定バーコードと認証バーコードの印字に係る配布元端末の構成を示す図である。
【図２６】配達先特定に係る配送経路内端末の構成を示す図である。
【図２７】配達先所在の回答に係る配達先所在管理サーバの構成を示す図である。
【図２８】配達先所在管理サーバによる配達先所在の回答に係る処理フローを示す図である。
【図２９】実施の形態４の概要を示す図である。
【図３０】配布先リスト更新処理フローを示す図である。
【図３１】実施の形態５の概要を示す図である。
【図３２】実施の形態５に係る配送先リスト記憶部の例を示す図である。
【図３３】要求分野の登録に係る配布先所在管理サーバの構成を示す図である。
【図３４】配布先所在管理サーバによる要求分野の登録に係る処理フローを示す図である。
【図３５】適応配布先の紹介に係る配布先所在管理サーバの構成を示す図である。
【図３６】配布先所在管理サーバによる適応配布先の紹介に係る処理フローを示す図である。
【図３７】配達先指定バーコードの印字に係る配布元端末の構成を示す図である。
【図３８】配達先所在管理サーバによる配達先所在の回答に係る処理フローを示す図である。
【図３９】実施の形態６の概要を示す図である。
【図４０】提供分野の登録に係る配布先所在管理サーバの構成を示す図である。
【図４１】配布先所在管理サーバによる提供分野の登録に係る処理フローを示す図である。
【図４２】配布要求の仲介に係る配布先所在管理サーバの構成を示す図である。
【図４３】配布先所在管理サーバによる配布要求の仲介に係る処理フローを示す図である。
【図４４】実施の形態７の概要を示す図である。
【図４５】実施の形態７に係る配送先リスト記憶部の例を示す図である。
【図４６】製品所有の登録に係る配布先所在管理サーバの構成を示す図である。
【図４７】配布先所在管理サーバによる製品所有の登録に係る処理フローを示す図である。
【図４８】配達先指定バーコードの印字に係る配布元端末の構成を示す図である。
【図４９】配達先所在管理サーバによる配達先所在の回答に係る処理フローを示す図である。
【図５０】実施の形態８の概要を示す図である。
【図５１】製品所有配布先の抽出に係る配布先所在管理サーバの構成を示す図である。
【図５２】配布先所在管理サーバによる製品所有配布先の抽出に係る処理フローを示す図である。
【図５３】実施の形態９の概要を示す図である。
【図５４】実施の形態９に係る配送先リスト記憶部の例を示す図である。
【図５５】書籍所有の登録に係る配布先所在管理サーバの構成を示す図である。
【図５６】配布先所在管理サーバによる書籍所有の登録に係る処理フローを示す図である。
【図５７】書籍所有登録数の算出に係る配布先所在管理サーバの構成を示す図である。
【図５８】配布先所在管理サーバによる書籍所有登録数の算出に係る処理フローを示す図である。
【図５９】配達先指定バーコードの印字に係る配布元端末の構成を示す図である。
【図６０】配達先所在管理サーバによる配達先所在の回答に係る処理フローを示す図である。
【符号の説明】
【０１４７】
１  配布先所在管理サーバ、２  配布先端末、３  配布元端末、４  配送経路内端末、１１０  配布元ログイン認証部、１１１  配布元管理テーブル、１１２  配布先リスト登録部、１１３  配布先リスト記憶部、１１４  配布元ログアウト部、１１５  配達先所在回答部、１２０  承認依頼部、１２１  配布先登録承認画面記憶部、１２２  承認受付部、１３０  認証コード登録依頼部、１３１  配布先登録承認画面記憶部、１３２  認証コード受付部、１５０  配布先ログイン認証部、１５１  配布先管理テーブル、１５２  要求分野登録部、１５３  分野管理テーブル、１５４  要求分野記憶部、１５５  配布先ログアウト部、１５６  提供分野指定部、１５７  適応配布先回答部、１６０  提供分野登録部、１６１  提供分野記憶部、１６２  要求分野指定部、１６３  適応配布先通知部、１７０  所有製品受付部、１７１  製品管理テーブル、１７２  配布元（製造業者）管理テーブル、１７３  配布先所在（製品所在）受付部、１７４  配布先登録部、１７５  配布先（所有者）管理テーブル、１７６  配布先通知部、１８０  配布先抽出条件受付部、１８１  配布先抽出部、１８２  抽出配布先回答部、１９０  所有書籍受付部、１９１  ＩＳＢＮテーブル、１９２  配布先所在（書籍所在）受付部、１９３  配布元（出版者）管理テーブル、１９４  登録数算出条件受付部、１９５  登録数算出部、１９６  登録数回答部、３１０  配布先ＩＤ受付部、３１１  配布元ＩＤ記憶部、３１２  配達先指定バーコード印字部、３３０  認証バーコード印字部、４１０  配達先指定バーコード読取部、４１１  配達先所在照会部、４１２  配達先所在印字部、４３０  認証バーコード読取部。
【図１】
2010137948.tif 000003
【図２】
2010137948.tif 000004
【図３】
2010137948.tif 000005
【図４】
2010137948.tif 000006
【図５】
2010137948.tif 000007
【図６】
2010137948.tif 000008
【図７】
2010137948.tif 000009
【図８】
2010137948.tif 000010
【図９】
2010137948.tif 000011
【図１０】
2010137948.tif 000012
【図１１】
2010137948.tif 000013
【図１２】
2010137948.tif 000014
【図１３】
2010137948.tif 000015
【図１４】
2010137948.tif 000016
【図１５】
2010137948.tif 000017
【図１６】
2010137948.tif 000018
【図１７】
2010137948.tif 000019
【図１８】
2010137948.tif 000020
【図１９】
2010137948.tif 000021
【図２０】
2010137948.tif 000022
【図２１】
2010137948.tif 000023
【図２２】
2010137948.tif 000024
【図２３】
2010137948.tif 000025
【図２４】
2010137948.tif 000026
【図２５】
2010137948.tif 000027
【図２６】
2010137948.tif 000028
【図２７】
2010137948.tif 000029
【図２８】
2010137948.tif 000030
【図２９】
2010137948.tif 000031
【図３０】
2010137948.tif 000032
【図３１】
2010137948.tif 000033
【図３２】
2010137948.tif 000034
【図３３】
2010137948.tif 000035
【図３４】
2010137948.tif 000036
【図３５】
2010137948.tif 000037
【図３６】
2010137948.tif 000038
【図３７】
2010137948.tif 000039
【図３８】
2010137948.tif 000040
【図３９】
2010137948.tif 000041
【図４０】
2010137948.tif 000042
【図４１】
2010137948.tif 000043
【図４２】
2010137948.tif 000044
【図４３】
2010137948.tif 000045
【図４４】
2010137948.tif 000046
【図４５】
2010137948.tif 000047
【図４６】
2010137948.tif 000048
【図４７】
2010137948.tif 000049
【図４８】
2010137948.tif 000050
【図４９】
2010137948.tif 000051
【図５０】
2010137948.tif 000052
【図５１】
2010137948.tif 000053
【図５２】
2010137948.tif 000054
【図５３】
2010137948.tif 000055
【図５４】
2010137948.tif 000056
【図５５】
2010137948.tif 000057
【図５６】
2010137948.tif 000058
【図５７】
2010137948.tif 000059
【図５８】
2010137948.tif 000060
【図５９】
2010137948.tif 000061
【図６０】
2010137948.tif 000062